(57)【要約】      （修正有）【課題】スプリットヤーンとブリッスルによる相乗効果が得られる線条体を効率良く製造することができる洗浄具及びそれに関連する技術を提供する。【解決手段】１本のブリッスルＲが、１０本のスプリットヤーンＰの束中に含まれる状態で、それらのブリッスルＲとスプリットヤーンＰが撚り合わせられてなるタフト用糸状材Ｓを基布Ｂに対しタフティングすることによりカットパイルＣが多数設けられてなるタフト体Ｔを洗浄部として備える。【選択図】図１
0003182386.tif 000002
【実用新案登録請求の範囲】
【請求項１】
１本又は複数本のブリッスルが、そのブリッスルの本数に比し多数の本数のスプリットヤーンの束中に含まれる状態で、それらのブリッスルとスプリットヤーンが撚り合わせられ又は引き揃えられてなるタフト用糸状材をシート状の基材に対しタフティングすることによりカットパイルが多数設けられてなる洗浄部を備えることを特徴とする洗浄具。
【請求項２】
上記タフト用糸状材におけるブリッスルの繊度がスプリットヤーンの繊度の３乃至３０倍である請求項１記載の洗浄具。
【請求項３】
上記タフト用糸状材におけるスプリットヤーンの本数がブリッスルの本数の５乃至１００倍である請求項１又は２記載の洗浄具。
【請求項４】
１本又は複数本のブリッスルが、そのブリッスルの本数に比し多数の本数のスプリットヤーンの束中に含まれる状態で、それらのブリッスルとスプリットヤーンが撚り合わせられ又は引き揃えられてなるタフト用糸状材をシート状の基材に対しタフティングすることによりカットパイルが多数設けられていることを特徴とするタフト体。
【請求項５】
上記タフト用糸状材におけるブリッスルの繊度がスプリットヤーンの繊度の３乃至３０倍である請求項４記載のタフト体。
【請求項６】
上記タフト用糸状材におけるスプリットヤーンの本数がブリッスルの本数の５乃至１００倍である請求項４又は５記載のタフト体。
【請求項７】
１本又は複数本のブリッスルが、そのブリッスルの本数に比し多数の本数のスプリットヤーンの束中に含まれる状態で、それらのブリッスルとスプリットヤーンが撚り合わせられ又は引き揃えられていることを特徴とするタフト用糸状材。
【請求項８】
ブリッスルの繊度がスプリットヤーンの繊度の３乃至３０倍である請求項７記載のタフト用糸状材。
【請求項９】
スプリットヤーンの本数がブリッスルの本数の５乃至１００倍である請求項７又は８記載のタフト用糸状材。
【考案の詳細な説明】
【技術分野】
【０００１】
本考案は、浴槽、洗面台、流し台、調理器具等の洗浄に用いる洗浄具に関する。
【背景技術】
【０００２】
実用新案登録第３１７０４４７号公報には、可撓性のシート形状基部にカットパイルが満遍なく設けられてなる洗浄部を表面部の全部又は部分に有し、前記カットパイルがスプリットヤーンからなるものと剛性線条体からなるものとが混合したものである洗浄具が開示されている。
【０００３】
この洗浄具によれば、強くこびりついた汚れは、剛性線条体カットパイルが汚れを崩し、崩れつつある汚れをスプリットヤーンカットパイルが掻きとり、更にこびりついている汚れを剛性線条体カットパイルが崩し、残った汚れをスプリットヤーンカットパイルが満遍なく掻きとるというように、混合した剛性線条体カットパイルとスプリットヤーンカットパイルが協働して効果的に除去することができ、広く付着した汚れは、スプリットヤーンカットパイルが満遍なく効果的に掻きとって除去することができる。
【０００４】
また、カットパイルを構成するスプリットヤーンは、それ自体が径方向外方へ広がろうとする性質を有するため、基布に植設した場合に脱落が比較的生じにくいものとされている。
【先行技術文献】
【特許文献】
【０００５】
【特許文献１】実用新案登録第３１７０４４７号公報
【考案の概要】
【考案が解決しようとする課題】
【０００６】
上記洗浄具によれば、強くこびりついた汚れを始めとして、スプリットヤーンカットパイルと剛性線条体カットパイルによる相乗効果により洗浄を効果的に行うことができるが、これらのカットパイルを基布に設けて洗浄具を製造することを効率良く行うという点では改善すべき点があった。
【０００７】
本考案は、従来技術に存した上記のような課題に鑑み行われたものであって、その目的とするところは、スプリットヤーンとブリッスルによる相乗効果が得られる線条体を効率良く製造することができる洗浄具及びそれに関連する技術を提供することにある。
【課題を解決するための手段】
【０００８】
(1) 上記目的を達成する本考案の洗浄具は、
１本又は複数本のブリッスルが、そのブリッスルの本数に比し多数の本数のスプリットヤーンの束中に含まれる状態で、それらのブリッスルとスプリットヤーンが撚り合わせられ又は引き揃えられてなるタフト用糸状材をシート状の基材に対しタフティングすることによりカットパイルが多数設けられてなる洗浄部を備えることを特徴とする。
【０００９】
洗浄部におけるカットパイルは、１本又は複数本のブリッスルが、そのブリッスルの本数に比し多数の本数のスプリットヤーンの束中に含まれる状態で、それらのブリッスルとスプリットヤーンが撚り合わせられ又は引き揃えられてなるタフト用糸状材が、シート状の基材に対しタフティングされることにより構成されている。
【００１０】
カットパイルの先端部は、タフト用糸状材がカットされているため、ブリッスルの先端部は、ある程度分散した状態の多数のスプリットヤーンの先端部の中に散在するような状態となる。
【００１１】
タフト用糸状材をシート状の基材に対しタフティングしてカットパイルとした場合、そのタフト用糸状材中のスプリットヤーンは、それ自体が径方向外方へ広がろうとする性質を有する。ブリッスルは、タフティングによるカットパイルには不向きであり、タフティングによるカットパイルの素材とした場合、タフティングの対象であるシート状基材から脱落することとなり易いが、この場合、ブリッスルの本数に比し多数の本数のスプリットヤーンの束中に含まれる状態でブリッスルとスプリットヤーンが撚り合わせられ又は引き揃えられてタフティングされていることにより、タフティングにより植設されたカットパイル中のブリッスルがシート状の基材から脱離することが効果的に防がれる。
【００１２】
このようなカットパイルが設けられてなる洗浄部により洗浄対象物を洗浄すると、比較的しなやかでありながら網目状をなしエッジ部/分を多く有するスプリットヤーンにより、洗浄対象物を傷付けずに汚れを満遍なく効果的に掻きとりつつ洗浄することができる。スプリットヤーンは溝等の凹部にも入り込み易いので、洗浄対象物の溝等の凹部についても効果的に洗浄することができる。
【００１３】
また、前記のようなカットパイルが設けられてなる洗浄部により、汚れが付着し或いはこびりついている洗浄対象物を洗浄すると、比較的しなやかなスプリットヤーンに対し、ブリッスルは、剛性が比較的に高いため、こびりついた汚れを効果的に崩すことができ、スプリットヤーンは、付着した汚れを満遍なく効果的に掻きとることができる。従って、強くこびりついた汚れは、ブリッスルが汚れを崩し、崩れつつある汚れをスプリットヤーンが掻きとり、更にこびりついている汚れをブリッスルが崩し、残った汚れをスプリットヤーンが満遍なく掻きとるというように、ブリッスルとスプリットヤーンカットパイルが協働して効果的に除去することができる。
【００１４】
上記タフト用糸状材におけるブリッスルの繊度は、スプリットヤーンの繊度の３乃至３０倍であるものとすることができる。
【００１５】
また上記タフト用糸状材におけるスプリットヤーンの本数は、ブリッスルの本数の５乃至１００倍であるものとすることができる。
【００１６】
(2) 本考案のタフト体は、１本又は複数本のブリッスルが、そのブリッスルの本数に比し多数の本数のスプリットヤーンの束中に含まれる状態で、それらのブリッスルとスプリットヤーンが撚り合わせられ又は引き揃えられてなるタフト用糸状材をシート状の基材に対しタフティングすることによりカットパイルが多数設けられていることを特徴とする。
【００１７】
カットパイルは、１本又は複数本のブリッスルが、そのブリッスルの本数に比し多数の本数のスプリットヤーンの束中に含まれる状態で、それらのブリッスルとスプリットヤーンが撚り合わせられ又は引き揃えられてなるタフト用糸状材が、シート状の基材に対しタフティングされることにより構成されている。
【００１８】
カットパイルの先端部は、タフト用糸状材がカットされているため、ブリッスルの先端部は、ある程度分散した状態の多数のスプリットヤーンの先端部の中に散在するような状態となる。
【００１９】
タフト用糸状材をシート状の基材に対しタフティングしてカットパイルとした場合、そのタフト用糸状材中のスプリットヤーンは、それ自体が径方向外方へ広がろうとする性質を有する。ブリッスルは、タフティングによるカットパイルには不向きであり、タフティングによるカットパイルの素材とした場合、タフティングの対象であるシート状基材から脱落することとなり易いが、この場合、ブリッスルの本数に比し多数の本数のスプリットヤーンの束中に含まれる状態でブリッスルとスプリットヤーンが撚り合わせられ又は引き揃えられてタフティングされていることにより、タフティングにより植設されたカットパイル中のブリッスルがシート状の基材から脱離することが効果的に防がれる。
【００２０】
上記タフト用糸状材におけるブリッスルの繊度は、スプリットヤーンの繊度の３乃至３０倍であるものとすることができる。
【００２１】
また上記タフト用糸状材におけるスプリットヤーンの本数は、ブリッスルの本数の５乃至１００倍であるものとすることができる。
【００２２】
(3) 本考案のタフト用糸状材は、１本又は複数本のブリッスルが、そのブリッスルの本数に比し多数の本数のスプリットヤーンの束中に含まれる状態で、それらのブリッスルとスプリットヤーンが撚り合わせられ又は引き揃えられていることを特徴とする。
【００２３】
タフト用糸状材をシート状の基材に対しタフティングしてカットパイルとした場合、そのタフト用糸状材中のスプリットヤーンは、それ自体が径方向外方へ広がろうとする性質を有する。ブリッスルは、タフティングによるカットパイルには不向きであり、タフティングによるカットパイルの素材とした場合、タフティングの対象であるシート状基材から脱落することとなり易いが、このタフト用糸状材の場合、ブリッスルの本数に比し多数の本数のスプリットヤーンの束中に含まれる状態でブリッスルとスプリットヤーンが撚り合わせられ又は引き揃えられていることにより、タフティングにより植設されたカットパイル中のブリッスルがシート状の基材から脱離することが効果的に防がれる。
【００２４】
ブリッスルの繊度は、スプリットヤーンの繊度の３乃至３０倍であるものとすることができる。
【００２５】
またスプリットヤーンの本数は、ブリッスルの本数の５乃至１００倍であるものとすることができる。
【考案の効果】
【００２６】
本考案の洗浄具によれば、洗浄部により洗浄対象物を洗浄すると、比較的しなやかでありながら網目状をなしエッジ部分を多く有するスプリットヤーンにより、洗浄対象物を傷付けずに汚れを満遍なく効果的に掻きとりつつ洗浄することができる。スプリットヤーンは溝等の凹部にも入り込み易いので、洗浄対象物の溝等の凹部についても効果的に洗浄することができる。
【００２７】
また、前記のようなカットパイルが設けられてなる洗浄部により、汚れが付着し或いはこびりついている洗浄対象物を洗浄すると、比較的しなやかなスプリットヤーンに対し、ブリッスルは、剛性が比較的に高いため、こびりついた汚れを効果的に崩すことができ、スプリットヤーンは、付着した汚れを満遍なく効果的に掻きとることができる。従って、強くこびりついた汚れは、ブリッスルが汚れを崩し、崩れつつある汚れをスプリットヤーンが掻きとり、更にこびりついている汚れをブリッスルが崩し、残った汚れをスプリットヤーンが満遍なく掻きとるというように、ブリッスルとスプリットヤーンカットパイルが協働して効果的に除去することができる。
【００２８】
ブリッスルの本数に比し多数の本数のスプリットヤーンの束中に含まれる状態でブリッスルとスプリットヤーンが撚り合わせられ又は引き揃えられてタフティングされていることにより、タフティングにより植設されたカットパイル中のブリッスルがシート状の基材から脱離することが効果的に防がれる。
【００２９】
本考案のタフト体においては、ブリッスルの本数に比し多数の本数のスプリットヤーンの束中に含まれる状態でブリッスルとスプリットヤーンが撚り合わせられ又は引き揃えられてタフティングされていることにより、タフティングにより植設されたカットパイル中のブリッスルがシート状の基材から脱離することが効果的に防がれる。
【００３０】
本考案のタフト用糸状材においては、ブリッスルの本数に比し多数の本数のスプリットヤーンの束中に含まれる状態でブリッスルとスプリットヤーンが撚り合わせられ又は引き揃えられていることにより、タフティングにより植設されたカットパイル中のブリッスルがシート状の基材から脱離することが効果的に防がれる。
【図面の簡単な説明】
【００３１】
【図１】洗浄具の要部の模式的断面図である。
【考案を実施するための形態】
【００３２】
[1] 本考案の実施の形態を、図面を参照しつつ説明する。  図面は本考案の実施の形態の一例としての洗浄具に関するものであり、図１は、洗浄具の要部として、洗浄部としてのタフト体の一部についての模式的断面図を示すものである。
【００３３】
この洗浄具は、１本のブリッスルＲが、１０本のスプリットヤーンＰの束中に含まれる状態で、それらのブリッスルＲとスプリットヤーンＰが撚り合わせられてなるタフト用糸状材Ｓを基布Ｂ（シート状の基材）に対しタフティングすることによりカットパイルＣが多数設けられてなるタフト体Ｔを洗浄部として備えるものである。
【００３４】
スプリットヤーンＰは、ロックウェル硬さ１００ＨＲＣのポリプロピレン樹脂の一軸延伸フィルムに縦方向の切れ目（スリット）が多数形成されることにより、幅方向（フィルムの送り方向に直交する方向）に拡げたときに網状となる糸状体である。
【００３５】
スプリットヤーンＰは、５００ｄＴＸであり、スリット幅は０．４ｍｍである。
【００３６】
ブリッスルＲは、５０００ｄＴＸのポリプロピレン樹脂製であり、スプリットヤーンＰよりも剛性が高いものである。
【００３７】
洗浄部としてのタフト体Ｔは、前記タフト用糸状材Ｓを基布Ｂ（シート状の基材）に対しタフティングし、得られるループパイルをカットすることにより多数満遍なく設けられている。カットパイルＣの高さは、７ｍｍで一定である。
【００３８】
[2] 本考案の実施の形態を、上記以外の形態を含めて更に説明する。
【００３９】
(1) 本考案のタフト用糸状材は、１本又は複数本のブリッスルが、そのブリッスルの本数に比し多数の本数のスプリットヤーンの束中に含まれる状態で、それらのブリッスルとスプリットヤーンが撚り合わせられ又は引き揃えられてなるものである。
【００４０】
(1-1) 本考案のタフト用糸状材におけるスプリットヤーン（スプリット糸）は、一軸延伸フィルムに縦方向の切れ目（スリット）が多数形成されることにより、幅方向（フィルムの送り方向に直交する方向）に拡げたときに網状となる糸状体、又はこれに類するものとすることができる。
【００４１】
前記スプリットヤーンとしては、例えばポリプロピレンやポリエチレン等の合成樹脂製のフィルムから得られるものを用いることができる。
【００４２】
前記スプリットヤーンは、例えば５００乃至５０００ｄＴｅｘとすることができる。好適には１０００乃至３０００ｄＴＸ、例えば２０００ｄＴｅｘである。また本考案におけるスプリットヤーンとしては、例えばスリット幅が０．４乃至０．７ｍｍのものを用いることができる。
【００４３】
前記スプリットヤーンの原材料であるポリプロピレンのロックウェル硬さとしては、例えば８５乃至１１０ＨＲＣのものを用いることができる。硬い方が掻きとり効果は上がるが、硬すぎると洗浄対象に傷が付きやすくなる。
【００４４】
(1-2) 本考案のタフト用糸状材におけるブリッスルは、スプリットヤーンよりも剛性が高いものである。このようなブリッスルとしては、例えば、ポリプロピレン、ポリアミド、ポリエステル、ポリフェニレンスルフィド等の合成樹脂からなる線条体を用いることができる。
【００４５】
前記ブリッスルは、例えば１００乃至１００００ｄＴｅｘとすることができる。好適には、１５００乃至５０００ｄＴＸである。
【００４６】
(1-3) 本考案のタフト用糸状材におけるブリッスルの繊度は、スプリットヤーンの繊度の例えば３乃至３０倍とすることができる。好ましくは５乃至１５倍である。
【００４７】
(1-4) 本考案のタフト用糸状材におけるスプリットヤーンの本数は、例えばブリッスルの本数の５乃至１００倍とすることができる。好ましくは１０乃至５０倍である。
【００４８】
(2) 本考案のタフト体は、上記タフト用糸状材をシート状の基材に対しタフティングすることによりカットパイルが多数設けられているものである。カットパイルは、例えば、シート状基材の全体又は所定範囲に対し満遍なく設けることができる。
【００４９】
シート状の基材としては、各種の布状材料、すなわち基布を用いることができるほか、布以外のシート状材料を用いることもできる。
【００５０】
シート状の基材に対しタフト用糸状材をタフティングして得られるループパイルをカットすることによりカットパイルを設けることができる。
【００５１】
カットパイルの高さは、例えば２乃至２０ｍｍとすることができる。カットパイルの好適な高さは３乃至１３ｍｍである。
【００５２】
カットパイルの高さは、一定とすることができるほか、２種以上の高さのカットパイルを設けることもできる。
【００５３】
タフト用糸状材をシート状の基材に対しタフティングしてカットパイルとした場合、そのタフト用糸状材中のスプリットヤーンは、それ自体が径方向外方へ広がろうとする性質を有する。捲縮スプリットヤーンの場合、その性質が更に強まる。
【００５４】
カットパイルは、ブリッスルの本数に比し多数の本数のスプリットヤーンの束中に含まれる状態でブリッスルとスプリットヤーンが撚り合わせられ又は引き揃えられてタフティングされることにより設けられているため、カットパイル中のスプリットヤーンがシート状の基材から脱離することが生じにくく、且つ、カットパイル中のブリッスルがシート状の基材から脱離することが効果的に防がれる。
【００５５】
なお、カットパイルが設けられたシート状基材の裏面側に、アクリル、ＮＢＲ、ＳＢＲなどのラテックスまたはＥＶＡ、ＴＰＲ、ＰＰ、ＰＥなどの樹脂による抜糸止め加工、或いはその他の抜糸止め加工を施すことにより、カットパイルを更に抜けにくくすることもできる。
【００５６】
(3) 本考案の洗浄具は、上記タフト体を洗浄部として備えるものである。
【００５７】
上記洗浄具は、例えば、上記タフト体のシート状基材の裏面側を布状材料等のシート材で覆ったもの、上記タフト体のシート状基材の裏面側に合成樹脂又は発泡合成樹脂等からなる板状材を設けたもの、上記タフト体のシート状基材の裏面側に発泡ウレタンや発泡ポリエチレン等のクッション部を介在させて前記のような板状材を設けたもの等とする
【００５８】
なお、以上の実施の形態についての記述における構成部品の寸法、個数、材質、形状、その相対配置などは、特にそれらに限定される旨の記載がない限りは、この考案の範囲をそれらのみに限定する趣旨のものではなく、単なる説明例に過ぎない。
【符号の説明】
【００５９】
Ｂ  基布
Ｃ  カットパイル
Ｐ  スプリットヤーン
Ｒ  ブリッスル
Ｓ  タフト用糸状材
Ｔ  タフト体
【図１】
0003182386.tif 000003